(57)【特許請求の範囲】
【請求項１】
チャンネル材製の架台の開口上部にラックの親桁を載置し、該親桁の内側に屈曲された下部屈曲片を架台に固定するラックの振れ止め金具において、下部屈曲片の上面を押圧する押圧体と、該押圧体を貫通する止着ボルトと、該止着ボルトにネジ止めされ架台の開口部内のリップ部に係止する中ナットとを有し、止着ボルトの緊締力で押圧体がラックの下部屈曲片を圧着固定するように設けると共に、架台の長手方向に沿って配され、ラックの下部屈曲片の下に係止する連結体を設け、該連結体の一端にラックの親桁の外側面に係止する係止部を形成し、該押圧体と前記連結体とは各別に形成され、これら押圧体と連結体とを前記止着ボルトで連結するように設けたことを特徴とするラックの振れ止め金具。
【請求項２】
前記連結体において、前記架台の長手方向に沿って配される連結板と、該連結板の一端部に設けられ前記親桁を係止する前記係止部とを形成し、連結板に重合片が設けられ、該重合片に前記止着ボルトを挿通せしめる挿通孔を開穿した請求項１記載のラックの振れ止め金具。
【発明の詳細な説明】
【技術分野】
【０００１】
本発明は、主に冷媒配管用として用いられるラックの振れ止め金具に係り、特に、施工後の外観を重視しながらラックの移動を確実に防止することができるラックの振れ止め金具に関する。
【背景技術】
【０００２】
冷媒配管や電線材を収納するラックの中でも、屋上に設置されることが多い冷媒配管用のラックは、施工後の外観が重視される。そのため、この冷媒配管用のラックを固定する振れ止め金具は、ラックの親桁の内側に装着されるものが採用されている。
【０００３】
図７乃至図９に、従来から使用されている振れ止め金具１００を示している。この振れ止め金具１００は、ラックＱの親桁Ｑ１下端部に屈曲された下部屈曲片Ｑ２の上に重ね、この下部屈曲片Ｑ２を圧着するタイプの振れ止め金具１００である。すなわち、チャンネル材製の架台Ｐの上部開口部Ｐ１にラックＱの親桁Ｑ１を設置し、この親桁Ｑ１の下部屈曲片Ｑ２に振れ止め金具１００を重ねて使用する（図９参照）。そして、振れ止め金具１００を貫通する止着ボルト２０と、架台Ｐの開口部Ｐ１内のリップ部Ｐ２に係止した中ナット４０とをネジ止めすることで、ラックＱの下部屈曲片Ｑ２を振れ止め金具１００で圧着固定するものである（図８参照）。
【０００４】
ところが、従来の振れ止め金具１００によると、ラックＱの下部屈曲片Ｑ２が振れ止め金具１００で圧着されているだけなので、ラックＱの横方向（図８の矢印方向）に加わる外力には極めて弱く、架台Ｐから簡単に外れてしまうおそれがあった。特に、屋上での設置が多い冷媒配管用のラックＱなどは、多くの作業者等が触れ易い場所に設置されているので、天井裏などに設置される電線材用のラックＱに比べて深刻な課題になっている。
【０００５】
そこで、当出願人は先に、特許文献１に記載のラック用振れ止め金具を発明している。この振れ止め金具は、溝形鋼のフランジ上に載置するラックの下部屈曲片を固定するものである。すなわち、ラックの下部屈曲片の上面に重ねる押さえ板と、ラックを載置した溝形鋼のフランジの下面に係止する下部金具とを設け、これらを角根ボルトで連結する。このとき、押さえ板の一端に、溝形鋼のフランジに係止する規制板を設け、下部金具にフランジの端部に当接する上板を設けることで、ラックの固定力を高めたものである。
【特許文献１】特許第３３６７０５２号公報
【発明の開示】
【発明が解決しようとする課題】
【０００６】
特許文献１の振れ止め金具によって、ラックの親桁の内側に装着されるタイプの振れ止め金具に強力な固定力を付与することに成功した。ところが、この固定力は、ラックの親桁内側に向けて加わる外力に対して優れた効果を発揮するが、ラックの親桁外側に向けて加わる外力に対しては、依然として弱い傾向にあり、図８の矢印方向に振れるおそれは未だ解消されていなかった。すなわち、この特許文献１の振れ止め金具においても、ラックの下部屈曲片を親桁内側で挟着する構造になっているからである。
【０００７】
そこで本発明は、上述の課題を解消すべく創出されたもので、ラックの親桁内側に装着されるタイプの振れ止め金具において、施工後の外観を重視しながらラックの振れを確実に防止することができるラックの振れ止め金具の提供を目的とするものである。
【課題を解決するための手段】
【０００８】
上述の目的を達成すべく本発明における第１の手段は、チャンネル材製の架台Ｐの開口上部にラックＱの親桁Ｑ１を載置し、該親桁Ｑ１の内側に屈曲された下部屈曲片Ｑ２を架台Ｐに固定するラックの振れ止め金具において、下部屈曲片Ｑ２の上面を押圧する押圧体１０と、該押圧体１０を貫通する止着ボルト２０と、該止着ボルト２０にネジ止めされ架台Ｐの開口部Ｐ１内のリップ部Ｐ２に係止する中ナット４０とを有し、止着ボルト２０の緊締力で押圧体１０がラックＱの下部屈曲片Ｑ２を圧着固定するように設けると共に、架台Ｐの長手方向に沿って配され、ラックＱの下部屈曲片Ｑ２の下に係止する連結体３０を設け、該連結体３０の一端にラックＱの親桁Ｑ１の外側面に係止する係止部３１を形成し、押圧体１０と連結体３０とは各別に形成され、これら押圧体１０と連結体３０とを止着ボルト２０で連結するように設けたことにある。
【００１０】
第２の手段は、前記連結体３０において、前記架台Ｐの長手方向に沿って配される連結板３２と、該連結板３２の一端部に設けられ前記親桁Ｑ１を係止する前記係止部３１とを形成し、連結板３２に重合片３３が設けられ、該重合片３３に前記止着ボルト２０を挿通せしめる挿通孔３４を開穿している。
【発明の効果】
【００１４】
本発明の請求項１によると、架台Ｐの長手方向に沿って配され、ラックＱの下部屈曲片Ｑ２の下に重合する連結体３０を設け、該連結体３０の一端にラックＱの親桁Ｑ１の外側面に係止する係止部３１を形成し、該連結体３０と前記押圧体１０とを連結したことにより、従来のラックの親桁内側に装着されるタイプの振れ止め金具に比べて、ラックＱの親桁Ｑ１外側に向いた移動を確実に防止することができる。また、連結体３０は、架台Ｐの長手方向に沿って配され、ラックＱの下部屈曲片Ｑ２の下に重合するので目立たずに済み、施工後の外観も良好である。
【００１５】
請求項１、２により、押圧体１０と連結体３０とを各別に形成することで、サイズや形状が異なった押圧体１０や連結体３０を組み合わせることが自由になり、あらゆるラックＱに対応することが可能になる。
【００１６】
請求項２によると、本発明の部品点数が、押圧体１０、止着ボルト２０、連結体３０の３点となるので、作業の合理化を図ることができ、安価な提供が可能になる。
【００１９】
このように本発明によると、ラックの親桁内側に装着されるタイプの振れ止め金具において、施工後の外観を重視しながらラックの移動を確実に防止することができるなどといった有益な種々の効果を奏するものである。
【発明を実施するための最良の形態】
【００２０】
本発明振れ止め金具の最良の形態は、架台Ｐの長手方向に沿って配され、ラックＱの下部屈曲片Ｑ２の下に重合する連結体３０を設ける。該連結体３０の一端にラックＱの親桁Ｑ１の外側面に係止する係止部３１を形成する。止着ボルト２０の緊締力でラックＱの下部屈曲片Ｑ２を架台Ｐに圧着固定する押圧体１０と連結体３０とを各別に形成する。これら押圧体１０と連結体３０とを止着ボルト２０で連結する。架台Ｐの長手方向に沿って配される連結板３２と、該連結板３２の一端部に設けられ前記親桁Ｑ１を係止する前記係止部３１とを形成する。連結板３２の板面に前記止着ボルト２０を挿通せしめる挿通孔３４を開穿する。連結体３０に、架台Ｐの外側面両側に沿ってラックＱの下部屈曲片Ｑ２下面に配される一対の連結帯３３と、各挿通孔３４の一端部に設けられた一対の係止部３１とを設けることで、当初の目的を達成するものである。
【実施例】
【００２１】
以下、本発明の一実施例を説明する。本発明振れ止め金具は、チャンネル材製の架台Ｐの開口上部に、親桁Ｑ１が載置された状態のラックＱを固定するもので、押圧体１０、止着ボルト２０、連結体３０、中ナット４０を主な構成とする（図１参照）。
【００２２】
押圧体１０は、親桁Ｑ１の内側に屈曲されたラックＱの下部屈曲片Ｑ２の上面を押圧する部材である。すなわち、この押圧体１０を貫通する止着ボルト２０で、チャンネル材製の架台Ｐのリップ部Ｐ２下面に係止する中ナット４０をネジ止めすることで押圧体１０が下部屈曲片Ｑ２を圧着固定するものである（図２参照）。
【００２３】
図示の押圧体１０は、平面矩形状を成した板面に挿通孔１３を開穿すると共に（図１参照）、下部屈曲片Ｑ２を押圧する端部を斜め下方に屈曲して強度を高めた圧着端部１１を設けている（図２参照）。更に、図１乃至図６に示す押圧体１０には、圧着端部１１の反対側に位置する端部に、架台Ｐの開口部Ｐ１内に挿入する係止片１２を鉛直下方に屈曲形成している。このような押圧体１０によると、下部屈曲片Ｑ２の圧着固定時に、係止片１２が押圧体１０の位置ずれを防止すると共に、圧着端部１１が下部屈曲片Ｑ２の上面を確実に圧着することができるものである。また、図７及び図８に示す押圧体１０は、後述するように連結体３０と一体に形成したものである。
【００２４】
押圧体１０を緊締する止着ボルト２０は、架台Ｐの開口部Ｐ１内部に挿入し、開口部Ｐ１のリップ部Ｐ２下面に係止する中ナット４０にネジ止めするものである。この中ナット４０は、架台Ｐの開口部Ｐ１から内部に挿入したのち、この中ナット４０を９０度回転させることでリップ部Ｐ２に係止するものである（図２参照）。図示の中ナット４０は、側面略Ｗ字形状を成している（図１参照）。また、フラットな板体状の中ナット４０を使用することも可能である。
【００２５】
連結体３０は、架台Ｐの長手方向に沿って配され、ラックＱの下部屈曲片Ｑ２の下に重合する部材で、この連結体３０の一端に係止部３１を形成している。この係止部３１は、ラックＱの親桁Ｑ１の外側面に係止する部材で、押圧体１０が下部屈曲片Ｑ２を圧着固定するときに、この係止部３１がラックＱの移動を防止するものである。
【００２６】
押圧体１０と連結体３０は、それぞれ別体にして形成することが可能である（図１乃至図６参照）。
【００２７】
図１及び図２の連結体３０は、架台Ｐの側面長手方向に沿って配される一対の連結板３２を設けたもので、該連結板３２の一端部に設けられ前記親桁Ｑ１に係止する係止部３１と、連結板３２相互を連結し、架台Ｐの開口部Ｐ１上に重ねる重合片３３とを形成し、更に、該重合片３３の板面に前記止着ボルト２０を挿通せしめる挿通孔３４を開穿したものである（図１参照）。図示の係止部３１は、連結板３２の端部を上方へ延長して形成すると共に、この係止部３１を親桁Ｑ１の外側面に沿うように屈曲したもので、この係止部３１の板面が親桁Ｑ１の外側面に当接する。係止部３１をこのように形成すると、親桁Ｑ１から外側に係止部３１が大きく突出しないので、外観を損なわずに済む。図示例では更に、重合片３３の端部に、前記押圧体１０の係止片１２に係合する係合凹部３５を設けることで、押圧体１０と連結体３０とを強固に連結している。
【００２８】
このような連結体３０を使用する場合は、前記押圧体１０と連結体３０とを止着ボルト２０と中ナット４０にて連結した状態で、架台Ｐのリップ部Ｐ２下面に中ナット４０を係止させる。そして、この止着ボルト２０を緩めた押圧体１０と連結体３０との間に親桁Ｑ１の下部屈曲片Ｑ２を挟み込み、係止部３１が親桁Ｑ１の外側面に係止した状態で止着ボルト２０を緊締するものである（図２参照）。
【００２９】
図３及び図４に示す連結体３０は、最もシンプルな形状を成す連結体３０で、架台Ｐのリップ部Ｐ２の下面に沿って配される連結板３２と重合片３３とを一体にして矩形状に形成し、この重合片３３の一端部に係止部３１を屈曲形成したものである（図３参照）。すなわち、この重合片３３と連結板３２とは、中ナット４０の代用となる。そのため、重合片３３にはネジ孔３８が設けられており、リップ部Ｐ２の下面に連結板３２を係止した状態で止着ボルト２０をネジ止めする。この結果、ラックＱの下部屈曲片Ｑ２は、押圧体１０と架台Ｐの開口部Ｐ１上面との間に挟着されるものである（図４参照）。また、図示の係止部３１は、連結板３２の端部から上方へ向けて屈曲されたもので、架台Ｐの開口部Ｐ１内に沿って移動可能な幅に形成されている。
【００３０】
図５及び図６に示す連結体３０は、架台Ｐの開口部Ｐ１内に沿って配される連結板３２と、架台Ｐの開口部Ｐ１上面に重ねる重合片３３とを一体形成し、更に、この重合片３３から架台Ｐの両側面に至る係止片３６を形成したものである（図５参照）。重合片３３には止着ボルト２０を挿通する挿通孔３４が開穿され、リップ部Ｐ２下面に係止した中ナット４０に止着ボルト２０をネジ止めする（図６参照）。この実施例では重合片３３と連結板３２との境界部分に段部３７を形成し、重合片３３から延長される連結板３２が架台Ｐ内部のリップ部Ｐ２下面に沿って収納されるように設けたものである。そして、連結板３２の端部に設けた係止部３１が、架台Ｐの内部から開口部Ｐ１上方に突出し、親桁Ｑ１に係止するものである（図６参照）。このような連結体３０により、装着時の外観を良好にすることができる。
【００３３】
尚、本発明は、図示例に限定されるものではなく、押圧体１０や止着ボルト２０、連結体３０、中ナット４０等の各構成部品の寸法や形状等の設計変更、および材質の変更などは任意に行えるものであり、本発明の要旨を変更しない範囲において自由に変更できるものである。
【図面の簡単な説明】
【００３４】
【図１】本発明の振れ止め金具の一実施例を示す分解斜視図である。
【図２】本発明の使用状態を示す要部断面図である。
【図３】本発明の振れ止め金具の他の実施例を示す分解斜視図である。
【図４】本発明の他の実施例の使用状態を示す要部断面図である。
【図５】本発明の振れ止め金具の他の実施例を示す分解斜視図である。
【図６】本発明の他の実施例の使用状態を示す要部断面図である。
【図７】従来の振れ止め金具を示す分解斜視図である。
【図８】従来の振れ止め金具の使用状態を示す要部断面図である。
【図９】従来の振れ止め金具の使用状態を示す斜視図である。
【符号の説明】
【００３５】
Ｐ    架台
Ｐ１  開口部
Ｐ２  リップ部
Ｑ    ラック
Ｑ１  親桁
Ｑ２  下部屈曲片
１０  押圧体
１１  圧着端部
１２  係止片
１３  挿通孔
２０  止着ボルト
３０  連結体
３１  係止部
３２  連結板
３３  重合片
３４  挿通孔
３５  係合凹部
３６  係止片
３７  段部
３８  ネジ孔
４０  中ナット
【図１】
0004547710.tif 000002
【図２】
0004547710.tif 000003
【図３】
0004547710.tif 000004
【図４】
0004547710.tif 000005
【図５】
0004547710.tif 000006
【図６】
0004547710.tif 000007
【図７】
0004547710.tif 000008
【図８】
0004547710.tif 000009
【図９】
0004547710.tif 000010